(57)【要約】【課題】紙おむつの各種性能を検証するのに使用するダミー人形において、従来のダミー人形では、動きやサイズの変更ができない構造であったので、紙おむつに対してきめ細かな性能検証ができなかった。【解決手段】人型ボディー２と２本の脚部ボディー２２，２２とを有する人型ボディー２を撓曲又は／及び伸縮可能な柔軟材で形成することにより、紙おむつに対してきめ細かな性能検査を行うことができるようにした。【選択図】      図１
2004163127.tif 000002
【特許請求の範囲】
【請求項１】
胴部ボディー（２１）と２本の脚部ボディー（２２，２２）とを有する人型ボディー（２）を撓曲又は／及び伸縮可能な柔軟材で形成したことを特徴とする紙おむつの性能検査用ダミー人形。
【請求項２】
請求項１において、
人型ボディー（２）を撓んでも自在に復元できる柔軟材で形成し、
胴部ボディー（２１）の内部に胴部骨格（３１）を設ける一方、各脚部ボディー（２２，２２）内にそれぞれ脚部骨格（３２，３２）を設け、
前記各脚部骨格（３２，３２）は、前記胴部骨格（３１）に対して前後に動かせるように取付けるとともに、該各脚部骨格（３２，３２）の下部を前記各脚部ボディー（２２，２２）から下方に突出させて、
前記各脚部骨格（３２，３２）を前後に動かすことにより前記各脚部ボディー（２２，２２）を前記胴部ボディー（２１）に対して前後に動かせるようにしている、
ことを特徴とする紙おむつの性能検査用ダミー人形。
【請求項３】
請求項１又は２において、
胴部ボディー（２１）を伸縮可能な弾性材で形成するとともに、該胴部ボディー（２１）の体積を膨張・縮小させることができる膨縮装置（４）を備えた、
ことを特徴とする紙おむつの性能検査用ダミー人形。
【請求項４】
請求項１〜３のいずれか１項において、
人型ボディー（２）におけるおむつ装着部付近を人の体温程度まで加温する加温装置（５）を備えた、
ことを特徴とする紙おむつの性能検査用ダミー人形。
【発明の詳細な説明】
【０００１】
【発明の属する技術分野】
本願発明は、紙おむつを装着させて該紙おむつの各種性能を検査するためのダミー人形に関するものである。
【０００２】
【発明の背景及び従来の技術】
紙おむつは、例えば試作段階において、各種の性能検査を行って品質の確認作業が行われる。紙おむつの性能検査としては、例えば、装着状態において紙おむつがうまく肌にフィットしているか？、紙おむつ内に放尿したときに液体が漏れないか？、吸収体が必要液量をうまく吸収できるか？、吸収体で吸収した液体が漏れ出さないか（逆流しないか）？、紙おむつ内で蒸れないか？、等がある。
【０００３】
ところで、このような紙おむつの性能検査は、紙おむつを人体に装着した状態で、実際の生活中に起こる色々な動作（例えば、歩行動作、這い動作、しりもち動作等）を行わせた後に行うことが好ましいが、検査段階で紙おむつを実際に人体に装着することは現実的でない。
【０００４】
そこで、本願発明者等は、紙おむつの各種性能検査を行うのにダミー人形を使用しているが、従来では紙おむつの性能検査用ダミー人形として、プラスチック材料で人型に成形したものを使用している。尚、紙おむつの性能検査用ダミー人形としては、胴部ボディーと２本の脚部ボディーがあればよい。
【０００５】
【発明が解決しようとする課題】
ところが、従来から使用している紙おむつの性能検査用ダミー人形は、人の動きに近い動きを行わせる構造にはなっていない。従って、従来では、紙おむつの性能検査時に、紙おむつを静止状態のダミー人形に装着させるだけなので、人の動きに伴う変化まで検証できなかった。即ち、例えば幼児では、生活中に歩行動作、這い（ハイハイ）動作、しりもち動作等が頻繁に行われ、紙おむつを装着した状態でそれらの動作が行われると、紙おむつが人体に対して位置ずれしたり、紙おむつの吸収体に圧縮作用や捩れ作用が働くことがあるが、従来から使用されているダミー人形では、そのような動作を行わせた後の状態を検査することができない。このように、従来のダミー人形では、紙おむつの性能検査を大ざっぱにしかできず、従って精度の低い性能検査しかできなかった。
【０００６】
又、紙おむつは、例えば幼児用のものであっても「大、中、小」等の各種サイズのものが製作されているが、各種サイズの紙おむつをそれぞれ正確（精密）に性能検査するには、紙おむつをダミー人形に適正にフィットさせた状態で装着させることが望まれる。
【０００７】
ところが、従来から使用している紙おむつの性能検査用ダミー人形は、体型が不変であるので、各種サイズの紙おむつをそれぞれ適正にフィットさせた状態で装着しようとすると、各紙おむつのサイズに合わせて体型の異なる複数種類（太め、標準、細め）のダミー人形を用意しておく必要がある。この場合、コスト高になるとともに保管管理が繁雑になるという問題があった。
【０００８】
又、紙おむつ使用者は、実際の生活中に、身体を動かしたり呼吸をしたりすることで胴径が変化し（特に腹部が変化する）、その胴径の変化によって紙おむつの装着状態が微妙に変化するが、従来のダミー人形では、紙おむつを装着した状態で胴径を変化させることができないため、使用者が実際に使用する場合に発生する胴径変化に対応したきめ細かな性能検査は行えなかった。
【０００９】
又、紙おむつを実際に人体に装着すると、人の体温（３６〜３７℃）により紙おむつ内が温められ、該紙おむつ内で蒸れることがある。特に、紙おむつ内で放尿したときには、吸収体に吸収された液体が体温で温められて、紙おむつ内が一層蒸れ易くなる。
【００１０】
ところが、従来から使用している紙おむつの性能検査用ダミー人形では、性能検査時において人型ボディーの温度が実際の人の体温（３６〜３７℃）よりかなり低い状態（例えば室温と同じ１８℃程度）で行われるので、紙おむつの吸収体に液体を吸収させていても、人型ボディーが室温程度の温度（例えば１８℃程度）では、紙おむつ内で蒸れるという現象はほとんど起こらない。このように、従来の紙おむつの性能検査用ダミー人形では、紙おむつを実際の人体に装着したときに発生する蒸れ現象を再現できず、従って紙おむつ内での蒸れ検査を行うことができなかった。
【００１１】
本願発明は、上記した従来の問題点に鑑み、精度の高い紙おむつの性能検査を行え、さらに単一のものでサイズの異なる複数の紙おむつに適用できるようにした紙おむつの性能検査用ダミー人形を提供することを目的としている。
【００１２】
【課題を解決するための手段】
本願発明は、上記課題を解決するための手段として次の構成を有している。尚、本願発明は、紙おむつの性能検査用ダミー人形を対象にしているが、以下の説明では、本願の紙おむつの性能検査用ダミー人形を単にダミー人形ということがある。
【００１３】
本願請求項１の発明
本願請求項１の発明のダミー人形は、胴部ボディーと２本の脚部ボディーとを有する人型ボディーを撓曲又は／及び伸縮可能に柔軟材で形成している。
【００１４】
人型ボディーを形成している柔軟材は、撓曲できるだけのもの、又は伸縮できるだけのもの、あるいは撓曲と伸縮の両方ができるもの、等のいずれかの性状を有している。
【００１５】
そして、撓曲できる人型ボディーでは、例えば胴部ボディーに対して脚部ボディーを前後に動かすことができ、伸縮できる人型ボディーでは、例えば胴部ボディーの胴径を太め・細めに変化させることができる。
【００１６】
尚、このダミー人形は、幼児用の大きさのものと大人用の大きさのものとを用意するとよい。又、人型ボディーは、人肌程度の弾力及び滑らかさを持たせるとよい。
【００１７】
この請求項１のダミー人形は、紙おむつを所定位置に装着させた状態（場合によっては吸収体に液体を適量含浸させた状態）で、人型ボディーが撓曲できるものでは、該人型ボディーを人の動きに近い動作（例えば、歩行動作）を行わせたり、人型ボディーが伸縮できるものでは、検査すべき紙おむつのサイズに合わせて、胴部ボディー部分を太め・細めに変化させて使用することができる。
【００１８】
本願請求項２の発明
本願請求項２の発明は、請求項１のダミー人形において、人型ボディーを撓んでも自在に復元できる柔軟材で形成している。又、胴部ボディーの内部には胴部骨格を設ける一方、各脚部ボディー内にはそれぞれ脚部骨格を設けている。尚、胴部骨格及び各脚部骨格には、金属あるいは硬質プラスチック等の硬質材が使用される。
【００１９】
各脚部骨格は、胴部骨格に対して前後に動かせるように取付けているが、この各脚部骨格はそれぞれ個別に前後に動かせることができるようにすることが好ましい。即ち、各脚部骨格の上端部を、胴部骨格の下端部左右位置においてそれぞれ軸受構造あるいはピン枢着構造等によって、各脚部骨格が個別に前後に動くようにするとよい。又、各脚部骨格の下部は、各脚部ボディーから下方に突出させている。尚、この各脚部骨格は、実際の人体のように、前後とともに左右にも動かせるようにすることもできる。
【００２０】
そして、この請求項２のダミー人形は、各脚部骨格を前後に動かすことにより各脚部ボディーを胴部ボディーに対して前後に動かせるようにしている。尚、各脚部ボディーは、胴部ボディーに対して、前方側には角度９０°〜１００°程度まで屈曲させ得るようにし、後方側には角度４０°〜５０°程度まで屈曲させ得るようにするとよい（この各屈曲可能角度は特に限定するものでなく、適宜に変化させることができる）。
【００２１】
この請求項２のダミー人形は、紙おむつを所定位置に装着させた状態で、作動装置により人の動きに近い動作（例えば、歩行動作、這い動作、しりもち動作等）を行わせることができる。即ち、歩行動作を行わせる場合には、胴部ボディーを鉛直姿勢に固定した状態で、各脚部骨格をそれぞれ作動装置（この場合は前後運動装置）により所定角度範囲（例えば角度５０°〜８０°の範囲）づつ個別に前後運動させる。又、這い動作時には、胴部ボディーを前傾姿勢（例えば鉛直姿勢から角度６０°〜７０°程度前傾させた姿勢）で固定した状態で、同様に各脚部骨格の下端部をそれぞれ前後運動装置により所定角度範囲（例えば角度５０°〜８０°の範囲）づつ個別に前後運動させる。さらに、しりもち動作時には、各脚部ボディーを胴部ボディーに対してそれぞれ前側に角度９０°程度屈曲させて固定した状態で、ダミー人形全体を上下運動装置で上下動させてダミー人形の尻部を受台上に落とす動作を繰り返す。
【００２２】
このように、請求項２のダミー人形では、人型ボディー内に胴部骨格と各脚部骨格とを設けて人（幼児）の動きに近い動作を行わせることができるようになっており、従って、紙おむつを装着させた状態でダミー人形を動作させることにより、現実的な動きを加味した紙おむつの性能検査が行える。
【００２３】
本願請求項３の発明
本願請求項３の発明は、上記請求項１又は２のダミー人形において、胴部ボディーを伸縮可能な弾性材で形成するとともに、胴部ボディーの体積を膨張・縮小させることができる膨縮装置を備えている。
【００２４】
胴部ボディーの材料（弾性材）としては、例えばゴム系のものや発砲ウレタン系のものが使用できる。胴部ボディーは、内部が中空になっており、胴部ボディーの内面に内方から圧力が加わると、その圧力で胴部ボディーの壁面が外方に押し出されるようになっている。
【００２５】
膨縮装置としては、胴部ボディー内の空所に設置される膨縮袋と、該膨縮袋内に圧力流体を供給するポンプとが使用できる。圧力流体としては、圧縮空気が一般的であるが水を使用することもできる。
【００２６】
そして、この請求項３の発明のダミー人形は、検査すべき紙おむつのサイズに合わせて、胴部ボディー部分の体積を膨張・縮小させることにより、単一のものでも体型を変化（太め、細め）させ得るようになっている。又、この請求項３のダミー人形では、紙おむつを装着した状態（性能検査中）でも、胴部ボディーを繰り返して膨張・縮小させることができる。
【００２７】
本願請求項４の発明
本願請求項４の発明は、上記請求項１〜３のいずれか１項のダミー人形において、人型ボディーにおけるおむつ装着部付近を人の体温程度まで加温する加温装置を備えている。
【００２８】
加温装置としては、電気ヒータ線が一般的であるが、細チューブ内に温水を循環させるようにしたものでもよい。この電気ヒータ線（又は細チューブ）は、人型ボディーの材料中（肉厚さ内）に埋め込んだり、あるいは人型ボディーの内面に接着させた状態で配設することができる。又、この電気ヒータ線（又は細チューブ）は、おむつ装着部付近を均一に加温するために、適宜小間隔のジグザグ状に配置するとよい。尚、電気ヒータ線（又は細チューブ）は可撓性を有しており、人型ボディーが撓曲するとそれに対応して電気ヒータ線（又は細チューブ）も撓曲するようになる。
【００２９】
この請求項４の発明のダミー人形では、加温装置によって人型ボディーのおむつ装着部付近を人の体温程度（例えば３７℃程度）まで加温させることにより、温度面で人体に近づけることができる。尚、このように、人型ボディーのおむつ装着部付近を人の体温程度まで加温させた状態で性能検査を行うと、実際に人体に装着した場合に近い条件で、紙おむつ内の蒸れ具合（特に吸収体に液体を含浸させた場合の蒸れ具合）を検証できる。
【００３０】
【発明の効果】
本願請求項１の発明の効果
本願請求項１の発明のダミー人形は、人型ボディーを撓曲又は／及び伸縮可能な柔軟材で形成しているので、紙おむつを所定位置に装着させた状態で、人型ボディーを人の動きに近い動作を行わせたり、検査すべき紙おむつのサイズに合わせて胴部ボディー部分を太め・細めに変化させて使用できる。
【００３１】
従って、この請求項１のダミー人形を使用すると、紙おむつに対してきめ細かな性能検査（例えば、位置ずれ検査、液漏れ検査等）を行うことができるという効果がある。尚、検査の結果、不都合が確認できた場合には、その原因を考察し、品質の改善に役立たせることができる。
【００３２】
本願請求項２の発明の効果
本願請求項２の発明のダミー人形は、各脚部骨格を前後に動かせることにより、各脚部ボディーを胴部ボディーに対して前後に動かせるようになっているので、このダミー人形を人の動きに近い状態で動作（例えば、幼児の場合は歩行動作、這い動作、しりもち動作等）させることができる。
【００３３】
従って、この請求項２のダミー人形に紙おむつを装着させて動作させると、紙おむつに対して実際の人体に装着した場合と同様な変化を与えることができ、紙おむつの性能検査（例えば、位置ずれ検査、液漏れ検査等）をより一層きめ細か（高精度）に行うことができるという効果がある。
【００３４】
本願請求項３の発明の効果
本願請求項３の発明は、上記請求項１又は２のダミー人形において、胴部ボディーを伸縮可能な弾性材で形成するとともに、胴部ボディーの体積を膨張・縮小させることができる膨縮装置を備えている。
【００３５】
従って、この請求項３の発明のダミー人形では、膨縮装置によりダミー人形の胴径を太め・細めに変化させることができるので、上記請求項１又は２の効果に加えて、単一のダミー人形でサイズの異なる紙おむつの検査に利用できるという効果がある。又、このダミー人形では、紙おむつを装着した状態で胴部ボディーの胴径を繰り返して変形させることで、使用者が実際に装着した状態を模擬でき、よりきめ細かな検証ができるという効果もある。
【００３６】
本願請求項４の発明の効果
本願請求項４の発明は、上記請求項１〜３のいずれか１項のダミー人形において、人型ボディーにおけるおむつ装着部付近を人の体温程度まで加温する加温装置を備えている。このように、加温装置を備えると、人型ボディーのおむつ装着部付近を人の体温程度まで加温させることができるので、ダミー人形を温度面でも人体に近づけることができる。
【００３７】
従って、この請求項４のダミー人形では、人型ボディーのおむつ装着部付近を人の体温程度まで加温させることができるので、上記請求項１〜３の効果に加えて、このダミー人形を、紙おむつ内の蒸れ具合（特に吸収体に液体を含浸させた場合の蒸れ具合）の検証に利用できるという効果がある。
【００３８】
【発明の実施の形態】
図１〜図１１を参照して本願実施形態のダミー人形を説明すると、図１〜図７には本願第１実施形態が示され、図８及には本願第２実施形態が示され、図９には本願第３実施形態が示され、図１０及び図１１は本願第４実施形態が示されている。尚、この各実施形態のダミー人形１は、紙おむつを装着して紙おむつの各種性能を検査するために使用されるものである。
【００３９】
第１実施形態
図１〜図７に示す第１実施形態のダミー人形１は、胴部ボディー２１と２本の脚部ボディー２２，２２とを有する人型ボディー２と、人型ボディー２内に設けた骨格３と、胴部ボディー２１の体積を膨張・縮小させる膨縮装置４と、人型ボディー２におけるおむつ装着部付近を加温する加温装置５とを備えて構成されている。
【００４０】
人型ボディー２は、可撓性と伸縮性を有する弾性材（例えば発砲ウレタン）で、胴部ボディー２１と２本の脚部ボディー２２，２２とを一体成型して形成されている。この人型ボディー２の表面は、人肌の感触に近い滑らかさと弾力を有している。胴部ボディー２１は胸部付近までの高さで、各脚部ボディー２２，２２は太もも部までの長さに設定している。胴部ボディー２１の上部には、硬質の台板９が取付けられている。尚、胴部ボディー２１の上面は台板９の下面に適宜の手段で（例えば接着剤で接着して）固着させておくとよい。
【００４１】
この人型ボディー２は、肉厚さが例えば１０〜３０ｍｍ程度（特に限定するものではない）で、胴部ボディー２１及び各脚部ボディー２２，２２の内部を中空としたものを採用している。尚、この人型ボディー２は、自然状態で保形性を有している。
【００４２】
骨格３は、胴部ボディー２１内に設けられた胴部骨格３１と、各脚部ボディー２２，２２内に設けられた２本の脚部骨格３２，３２とを有している。胴部骨格３１及び各脚部骨格３２，３２は、鋼材や硬質プラスチックのような硬質材で形成されている。
【００４３】
胴部骨格３１は、四角パイプ状のものが採用されている。この胴部骨格３１は、胴部ボディー２１内の背側寄り位置において縦向きに設置されている。胴部骨格３１の上端は台板９を貫通して該台板９の上面に露出させており、胴部骨格３１の下端は臀部付近の高さに達している。この胴部骨格３１の四角パイプ内には、後述する電気コード５１と細チューブ８とが挿通されている。尚、電気コード５１は、加温用の電気ヒータ線５２に給電するためのものであり、細チューブ８は、模擬放尿させるためのものである。
【００４４】
胴部骨格３１の下端部には、左右２つの軸受３３，３３が取付けられている。この各軸受３３，３３には、それぞれ軸３４，３４が左右外向きに取付けられている。
【００４５】
各脚部骨格３２，３２は、ロッド状のものが採用されている。この各脚部骨格３２，３２の上端部３２ａ，３２ａは、それぞれ上記各軸３４，３４の先端部にピン３５，３５で枢着されている。従って、この各脚部骨格３２，３２は、軸受３３によって前後に動かせるとともに、ピン３５によって左右にも動かせるようになっている。
【００４６】
各脚部骨格３２，３２の下端部３２ｂ，３２ｂは、それぞれ各脚部ボディー２２，２２の下端面から所定小長さ（例えば１００ｍｍ程度）だけ下方に突出させている。尚、各脚部骨格３２，３２は、各脚部ボディー２２，２２に対して前後・左右にガタつきのない状態で挿通させている。従って、各脚部骨格３２，３２の下端部３２ｂ，３２ｂを前後又は左右に動かすと、それに連れて各脚部ボディー２２，２２も前後又は左右に動かせることができるようになっている。尚、各脚部ボディー２２，２２が前後に動かされるときには、胴部ボディー２１に対して脚部ボディー２２の付け根部分で屈曲するようになる。又、各脚部ボディー２２，２２は、胴部ボディー２１に対して、前方側には少なくとも角度９０°程度まで屈曲でき、後方側には角度４５°程度まで屈曲できる。
【００４７】
胴部ボディー２１に対する膨縮装置４は、この第１実施形態では、胴部ボディー２１内に収容した膨縮袋４１と、該膨縮袋４１内に圧縮空気Ａを供給する空気ポンプ４３とを有している。
【００４８】
膨縮袋４１は、伸縮ゴム製の袋が採用されている。この膨縮袋４１は、胴部ボディー２１の腹部２１ａに対応する位置に設置している。膨縮袋４１の後面には裏当て板４２が接合されており、膨縮袋４１内に圧縮空気Ａを注入すると、該膨縮袋４１が図３及び図４に符号４１′で示すように主として前方に膨張するようになっている。尚、裏当て板４２は胴部骨格３１の前面に固定しており、膨縮袋４１の前面側が胴部ボディー２１の腹部２１ａを押圧したときに、裏当て板４２が後退しないようにしている。
【００４９】
空気ポンプ４３からの圧縮空気Ａは、ホース４４を介して膨縮袋４１内に供給される。ホース４４の途中には、切換弁４５が設けられている。この切換弁４５は、３位置切換弁が使用されており、該切換弁４５の切換位置によって、膨縮袋４１内を大気に開放させたり、空気ポンプ４３からの圧縮空気Ａを膨縮袋４１内に供給したり、膨縮袋４１を膨らませた状態（図３及び図４に符号４１′で示す鎖線図示状態）で維持させたりすることができるようになっている。
【００５０】
そして、切換弁４５を大気開放状態にすると、膨縮袋４１内が大気に開放されて該膨縮袋４１が自己の収縮力で縮小し（図３及び図４の実線図示状態）、膨縮袋４１の前面が胴部ボディー２１の腹部２１ａ内面から離間する。このとき、胴部ボディー２１の腹部２１ａは自己弾性力によって収縮しており、胴部ボディー２１の胴径は「小」の状態となる。又、切換弁４５を空気ポンプ接続側に位置させると、該空気ポンプ４３からの圧縮空気Ａが膨縮袋４１内に注入され、膨縮袋４１の前面側が図３及び図４に鎖線図示（符号４１′）するように前方に膨張して、胴部ボディー２１の腹部２１ａを鎖線図示（符号２１ａ′）するように前方に押し出すようになる（胴部ボディー２１の胴径が「大」の状態となる）。尚、膨縮袋４１を膨張させたままで切換弁４５を遮断状態にすると、膨縮袋を膨張状態（符号４１′の状態）のままで維持させることができる。
【００５１】
このダミー人形１には、人型ボディー２におけるおしめ装着部付近を人の体温程度（例えば３７℃程度）まで加温するための加温装置５を使用している。この第１実施形態では、加温装置５として電気ヒータ線５２が採用されている。この電気ヒータ線５２は、胴部ボディー２１の下部寄り周囲と、各脚部ボディー２２，２２の付け根部周囲とにそれぞれジグザグ状に配置している。又、電気ヒータ線５２は、人型ボディー２の弾性材中に埋め込んでいる。この電気ヒータ線５２には、胴部骨格（四角パイプ）３１内を挿通させた電気コード５１を介して給電される。そして、この電気ヒータ線５２への通電は、図示しない温度制御器によって制御されて、人型ボディー２の紙おむつ装着部付近の温度を人の体温程度（例えば３７℃程度）に維持させるようにしている。尚、電気ヒータ線５２は可撓性を有しており、人型ボディー（胴部ボディー２１及び各脚部ボディー２２，２２）が撓曲するとそれに対応して電気ヒータ線５２も撓曲するようになっている。
【００５２】
胴部骨格（四角パイプ）３１内には、模擬放尿させるための細チューブ８が挿通されている。この細チューブ８の先端（模擬放尿口となる）８ａは、人型ボディー２の股部に開口させている。そして、細チューブ８の基端側から水Ｗを注入すると、その水が細チューブ８を通ってその先端８ａからあたかも実際に放尿したように放出されるようになっている。尚、この細チューブ先端（模擬放尿口）８ａは、図３に示すようにダミー人形１に装着させた紙おむつ１０の吸収体１１部分に対応しており、該細チューブ先端８ａから放出された液体は紙おむつ１０の吸収体１１に吸収されるようになっている。
【００５３】
この第１実施形態のダミー人形１は、図１及び図２に示す前後運動装置６や図７に示す上下運動装置７によって、人（幼児）の動きに似せた動作を行わせ得るようになっている。
【００５４】
図１及び図２に示す前後運動装置６は、上部にダミー人形１の台板９を支持・固定する取付台６０を有するとともに、各脚部骨格３２，３２の下端部３２ｂ，３２ｂをそれぞれ個別に前後動させる左右一対のクランク機構６１，６１を有している。各クランク機構６１，６１は、共通のモータ６２で駆動される。尚、取付台６０は、図１〜図３及び図５に示す水平姿勢と図６に示す垂直に近い傾斜姿勢との間で変位させ得るようになっている。
【００５５】
図７に示す上下運動装置７は、ダミー人形１の台板９を支持して昇降する昇降台７０を有するとともに、該昇降台７０を昇降させるクランク機構７１とを有している。昇降用のクランク機構７１はモータ７２で駆動される。尚、ダミー人形１の取付位置の下方には、しりもち動作時にダミー人形１の尻部を受ける受台７３を設けている。
【００５６】
ところで、図５の使用例は、ダミー人形１を直立姿勢で歩行動作させるものであり、図６の使用例は、ダミー人形１を前傾させた姿勢で這い動作させるものである。尚、図５の歩行動作及び図６の這い動作は、それぞれ図１及び図２に示す前後運動装置６を使用する。又、図７の使用例は、ダミー人形１をしりもち動作させるものであり、この場合は上下運動装置７を使用する。
【００５７】
図５の使用例では、前後運動装置６の取付台６０を水平にした状態で、該取付台６０にダミー人形１の台板９を固定し、次に各脚部骨格３２，３２の下端部３２ｂ，３２ｂを図１及び図２に示すようにそれぞれ連結ロッド６３，６３で各側のクランク機構６１，６１に連結する。各連結ロッド６３，６３は、両クランク機構６１，６１が作動したときに各脚部骨格３２，３２が相互に前後逆方向に揺動するように連結する。尚、ダミー人形１には紙おむつ１０を装着させるが、パンツ式の紙おむつ１０では、ダミー人形１を前後運動装置６にセットする前（脚部骨格３２の下端部３２ｂに連結ロッド６３を連結する前）に装着させておく。又、紙おむつ１０をダミー人形１に装着させるときに、該紙おむつのサイズに応じて膨縮装置４により胴部ボディー２１の胴径を調整しておく。
【００５８】
図５のセット状態では、ダミー人形１の胴部ボディー２１の軸線が鉛直方向に向いている。そして、紙おむつ１０の性能検査の内容が単に装着状態での位置ずれや変形等の検証である場合には、この状態で前後運動装置６を作動させる。すると、左右の脚部骨格３２，３２が各軸３４，３４を中心にして前後逆向きに揺動せしめられ、このとき、各脚部骨格３２，３２の揺動に伴って各脚部ボディー２２，２２も鎖線図示（符号２２′、２２″）するように前後に揺動せしめられる。このように、各脚部ボディー２２，２２が前後に揺動する（歩行動作が行われる）と、該脚部ボディー２２の付け根部付近で紙おむつ１０の一部が擦れて、紙おむつ１０が位置ずれしたり変形したりすることがある。そして、所定時間歩行動作を行わせた後、前後運動装置６を停止させ、そのときの紙おむつ１０の装着状態（位置ずれや変形の程度）を検証する。尚、検証の結果、紙おむつ１０の位置ずれや変形の程度が大きい場合には、その原因を考察することで、品質の改善に役立てることができる。
【００５９】
又、紙おむつ装着状態での紙おむつ１０の位置ずれや変形の検証は、図６に示す這い動作や、図７に示すしりもち動作についても行うことができる。
【００６０】
即ち、図６に示す這い動作では、ダミー人形１に紙おむつ１０を装着させた状態で、胴部ボディー２１部分を例えば角度６０°〜７０°程度だけ前傾させた姿勢で固定し、前後運動装置６により各脚部ボディー２２（各脚部骨格３２）を図５の場合と同様に鉛直方向位置の前後に所定角度範囲（例えば２２′の位置と２２″の位置の範囲）で揺動させる。又、図７に示すしりもち動作では、各脚部ボディー２２（各脚部骨格３２）を胴部ボディー２１に対して角度９０°近くまで屈曲させた状態（お座り状態）で昇降台７０に固定しておき、該昇降台７０をダミー人形１とともに上下運動装置７で繰り返し昇降させて、下動時に鎖線図示（符号１′）するようにダミー人形１の尻部を受台７３上面に押し当てる。
【００６１】
このように、這い動作（図６）やしりもち動作（図７）においても、装着している紙おむつ１０が位置ずれしたり変形したりすることがあり、それらを検証して、品質の改善に役立てる。
【００６２】
他方、液漏れについての検査を行うときには、細チューブ（模擬放尿管）８の基端側から所定量の液体Ｗを注入して、紙おむつ１０の吸収体１１に液体を吸収させる。このとき、注入した液体（模擬放尿液）がうまく吸収体１１に吸収されるかどうか（液漏れが起こらないかどうか）を検証できる。又、吸収体１１に液体を吸収させた状態で、上記と同様に前後運動装置６を作動させて歩行動作（図５）を行わせたり、這い動作（図６）を行わせたり、しりもち動作（図７）を行わせたりすると、紙おむつ１０の吸収体１１部分に捩れ作用や圧縮作用が働くが、このときに吸収体１１に吸収している液体が漏れ出す（逆流する）かどうかを検証できる。このように、液漏れについての検証の結果、不都合がある場合には、その原因を考察し、品質の改善に役立てることができる。
【００６３】
さらに、紙おむつ装着状態での蒸れ具合を検査するときには、加温装置５を用いて（電気ヒータ線５２に通電して）人型ボディー２の紙おむつ装着部付近を人の体温程度（例えば３７℃程度）まで加温しておく。すると、紙おむつ１０の内部が温められて、実際に人体に装着した場合に近い条件で、紙おむつ１０内の蒸れ具合を検証できる。又、この蒸れ検査の際に、紙おむつ１０の吸収体１１に液体を含浸させた状態で行うと、紙おむつ１０内に放尿したときの蒸れ状態を検証できる。尚、この蒸れ具合の検証は、歩行動作（図５）、這い動作（図６）、しりもち動作（図７）等を行った後に行うこともできる。
【００６４】
又、この第１実施形態のダミー人形１は、紙おむつ１０を装着させた状態で、膨縮装置４により胴部ボディー２１を繰り返して膨張・縮小させることができ、そのときの紙おむつ１０の位置ずれや弛み具合を検証できる。この場合、胴部ボディー２１の膨張・縮小動作は、前後運動装置６又は上下運動装置７を停止させた状態でも、あるいは作動させながらでも行える。
【００６５】
第２実施形態
図８に示す第２実施形態のダミー人形１は、上記第１実施形態の変形例を示したもので、この第２実施形態では、脚部骨格を省略して、脚部ボディー２２を特に動かさない構成にしている。尚、この第２実施形態におけるその他の構成は第１実施形態のものと同じであり、膨縮装置４による胴部ボディー２１の膨縮機能や、加温装置５による加温機能はそれぞれ第１実施形態のものと同じである。
【００６６】
第３実施形態
図９に示す第３実施形態のダミー人形１は、上記第２実施形態の変形例を示したもので、この第３実施形態では、膨縮装置４に使用する圧力流体として水を使用している。そして、この第３実施形態の膨縮装置４では、タンク４６内の水を水ポンプ４７でホース４８及び切換弁４９を介して膨縮袋４１内に供給し得るようにしている。切換弁４９は、３位置切換弁が使用されており、該切換弁４９の切換位置によって、水ポンプ４７からの高圧水Ｂ１を膨縮袋４１内に供給したり、膨縮袋４１を水Ｂで膨らませた状態（符号４１′で示す鎖線図示状態）で維持させたり、膨縮袋４１の収縮力によって該膨縮袋４１内の水Ｂを矢印Ｂ２で示すようにタンク４６側に戻したりすることができるようになっている。尚、この第３実施形態の膨縮装置４は、第１実施形態及び第２実施形態の各膨縮装置が圧力流体として空気を使用しているのに対して水を使用しているところが異なり、その他の基本的構成は第１実施形態及び第２実施形態のものと同じである。
【００６７】
第４実施形態
図１０及び図１１に示す第４実施形態のダミー人形１は、上記第１実施形態の変形例を示したもので、この第４実施形態では、加温装置５として、電気ヒータ線にかえて温水を循環させる細チューブ５６を使用している。即ち、この第４実施形態で使用されている加温装置５は、人型ボディー２における紙おむつ装着部付近に弾性材中に細チューブ５６をジグザグ状に配設し、タンク５３内の温水Ｃをポンプ５５で細チューブ５６中を循環させるようにしている。尚、タンク５３内の温水Ｃは電気ヒータ５４で加熱することができる。又、ポンプ５５の作動は、図示しない温度制御器によって制御されて、人型ボディー２の紙おむつ装着部付近の温度を人の体温程度（例えば３７℃程度）に維持させるようにしている。尚、この第４実施形態におけるその他の構成は、第１実施形態のものと同じなので、該第１実施形態の説明を援用する。
【００６８】
図１０及び図１１に示す第４実施形態のダミー人形１でも、加温装置５の温水Ｃにより人型ボディー２の紙おむつ装着部付近を人の体温程度まで加温でき、上記第１実施形態と同様に紙おむつ１０内の蒸れ検査を高精度で行うことができる。尚、この加温装置５の細チューブ５６は可撓性を有しており、人型ボディー２が膨縮するとそれに対応して該細チューブ５６も撓曲するようになっている。
【００６９】
又、図１０及び図１１に示す第４実施形態の加温装置５は、上記図８の第２実施形態、あるいは上記図９の第３実施形態に組み込むことができる。
【図面の簡単な説明】
【図１】本願第１実施形態の紙おむつの機能検査用ダミー人形の正面図である。
【図２】図１のダミー人形の右側面図である。
【図３】図１のＩＩＩ−ＩＩＩ断面図である。
【図４】図１のＩＶ−ＩＶ断面図である。
【図５】図１のダミー人形を歩行動作させる場合の使用説明図である。
【図６】図１のダミー人形を這い動作させる場合の使用説明図である。
【図７】図１のダミー人形をしりもち動作させる場合の使用説明図である。
【図８】本願第２実施形態の紙おむつの機能検査用ダミー人形の図３相当図である。
【図９】本願第３実施形態の紙おむつの機能検査用ダミー人形の図３相当図である。
【図１０】本願第４実施形態の紙おむつの機能検査用ダミー人形の図１相当図である。
【図１１】図１０のＸＩ−ＸＩ断面図である。
【符号の説明】
１はダミー人形、２は人型ボディー、３は骨格、４は膨縮装置、５は加温装置、６は前後運動装置、７は上下運動装置、８は細チューブ（模擬放尿管）、１０は紙おむつ、１１は吸収体、２１は胴部ボディー、２１ａは胴部ボディーの腹部、２２は脚部ボディー、３１は胴部骨格、３２は脚部骨格、３２ｂは脚部骨格の下端部、４１は膨縮袋、４３は空気ポンプ、４７は水ポンプ、５２は電気ヒータ線である。
【図１】
2004163127.tif 000003
【図２】
2004163127.tif 000004
【図３】
2004163127.tif 000005
【図４】
2004163127.tif 000006
【図５】
2004163127.tif 000007
【図６】
2004163127.tif 000008
【図７】
2004163127.tif 000009
【図８】
2004163127.tif 000010
【図９】
2004163127.tif 000011
【図１０】
2004163127.tif 000012
【図１１】
2004163127.tif 000013